(57)【要約】【課題】外輪における鍔部が他の部材との摺接により摩耗したり焼きついたりする不具合を抑制できるころ軸受を提供する。【解決手段】外輪１０の内周側にころ９が周方向で複数個配置されるとともに、外輪１０は、内周面にころ９の軌道面を有する円筒部１０ａと該円筒部１０ａの両端のそれぞれで内径側に延出された鍔部１０ｂ，１０ｃとで構成されているころ軸受において、両鍔部１０ｂ，１０ｃのうちの少なくとも一方における軸方向外側または軸方向内側の側面に潤滑剤が保持される凹部１５が設けられている。【選択図】　図３
2004116585.tif 000002
【特許請求の範囲】
【請求項１】
外輪の内周側にころが周方向で複数個配置されるとともに、前記外輪は、内周面に前記ころの軌道面を有する円筒部と該円筒部の両端のそれぞれで内径側に延出された鍔部とで構成されているころ軸受において、
前記両鍔部のうちの少なくとも一方における軸方向外側または軸方向内側の側面に潤滑剤が保持される凹部が設けられていることを特徴とするころ軸受。
【発明の詳細な説明】
【０００１】
【発明の属する技術分野】
本発明は、シェル形針状ころ軸受や円筒ころ軸受などのころ軸受に関し、詳しくは軸方向両端にそれぞれ内径方向に延出した鍔部を有した外輪と、外輪の内周に沿って並設した複数のころとを含むころ軸受に関する。
【０００２】
【従来の技術】
従来、この種のころ軸受は、例えば図１１に示すように、その外輪については、鋼板材を折り曲げ加工して得られるものであった。すなわち、シェル形針状ころ軸受の場合、外輪としてのシェル１０は、図１１に示すように、筒状の金属材を、プレス加工などの曲げ加工により、円筒部１０ａの軸方向での両端部にそれぞれ内径側に延出される鍔部１０ｂ，１０ｃを設けた構造となっていた。この鍔部１０ｂ，１０ｃによって、ころ９の抜け出しが防止され、円筒部１０ａの内周面がころ９の軌道面として機能するようにされていた（特許文献１参照）。
【０００３】
【特許文献１】
特開平４−２３１７２２号（図１、図４）
【０００４】
【発明が解決しようとする課題】
しかしながら、従来においては、その鍔部の形成は上記のように単に金属材の曲げ加工が施されるだけに留まっていた。
【０００５】
このため、従来のころ軸受では、例えばロッカアームのカムフォロアを構成するローラとして用いられた場合、シェルにおける鍔部の内側面部ところの端面とが平坦面同士摺接することや、シェルにおける鍔部の外側面部とロッカアームの軸を支持する一対の支持壁の内面とが平坦面同士摺接することにより、その摺接箇所において部材が摩耗したり、あるいは焼きついたりするおそれがあった。
【０００６】
本発明は、上記実状に鑑みてなされたものであって、外輪における鍔部が他の部材との摺接により摩耗したり焼きついたりする不具合を抑制できるころ軸受の提供を解決しようとする課題としている。
【０００７】
【課題を解決するための手段】
本発明は、外輪の内周側にころが周方向で複数個配置されるとともに、前記外輪は、内周面に前記ころの軌道面を有する円筒部と該円筒部の両端のそれぞれで内径側に延出された鍔部とで構成されているころ軸受において、前記両鍔部のうちの少なくとも一方における軸方向外側または軸方向内側の側面に潤滑剤が保持される凹部が設けられていることを特徴とする。
【０００８】
ころ軸受としては、シェル形針状ころ軸受や円筒ころ軸受などが含まれる。また、ころ軸受は、総ころ形あるいは保持器付き形のいずれであってもよい。凹部としては、例えば、円形状、半円状、楕円状、多角形状などの縁取られた形状を成す凹みや、直線状や曲線状の溝、また、これらの組み合わせなどが例としてあげられ、凹部内に潤滑剤を保持できるものであり、その保持された潤滑剤の一部は鍔部における凹部を設けた側面に潤滑剤膜が形成されるよう拡散できるものとなっている。
【０００９】
この場合、鍔部における軸方向外側または内側の側面に設けられた凹部に潤滑剤を保持させておくことができるので、このころ軸受が使用されているときに、外輪鍔部の軸方向外側または内側の側面に他部材またはころが摺接することがあっても、その凹部に保持されている潤滑剤が摺接面間に潤滑剤膜として拡がり、鍔部とその他部材またはころとの摺接はその潤滑剤膜を介してなされる。このため、その摺接箇所で摩耗が生じたり、他部材またはころと鍔部の外側面または内側とが焼き付いたりすることが抑制される。
【００１０】
【発明の実施形態】
図１から図４に本発明の実施形態を示している。図１は、ロッカアーム等を示す一部破断側面図、図２は、ロッカアームを示す平面図、図３は、ころ軸受の片半部を示す断面図、図４は、外輪としてのシェルを示す一部破断斜視図である。
【００１１】
図１を参照して、本発明に係るころ軸受の一例を組み込んだロッカアーム１が示されている。このロッカアーム１は、エンドピボットタイプであって、本体２と、軸体としての支軸３と、支軸３に回転自在に支持されるローラ４とを有している。
【００１２】
本体２は、互いにほぼ平行に対向配置された一対の対向側壁部５，５と、両対向側壁部５，５の長手方向一端における下側間に設けたピボット部６と、両対向側壁部５，５の長手方向他端間に設けたバルブステム案内部７とを有する形状の板金製のプレス加工品とされている。
【００１３】
バルブステム案内部７は、端面から見ると上下逆さの凹形状となっており、その天井部分は下向きに膨出させて反らせた形状になっている。
【００１４】
両対向側壁部５，５の長手方向中間には、対向側壁部５，５の壁面に直交する同軸上に貫通された貫通孔８，８が設けられており、貫通孔８，８に対して支軸３の両端がそれぞれ挿入されかしめられることにより、支軸３が両対向側壁部５，５間に架設された状態で取り付けられている。
【００１５】
両対向側壁部５，５間において、支軸３の外周に針状ころである複数のころ９…を介して外輪としてのシェル１０が回転自在に取り付けられている。
【００１６】
このようなロッカアーム１では、本体２のピボット部６が、図示しないシリンダヘッドに設置されるラッシュアジャスタ１１の上端に係合され、バルブステム案内部７が、シリンダヘッドに設置される動弁機構のバルブのステムエンド１２に当接される。そして、カム１３を回転させることにより、ピボット１０が支点となって本体２が傾動させられるようになり、バルブステム案内部７が上下に所定ストロークで反復変位させられることで、バルブを開閉動作させる。このように、ロッカアーム１は、本体２の長手方向一端側を支点としてバルブ操作のため揺動させられる構成となっている。
【００１７】
次に、ローラ４を回転自在とするころ軸受１４について説明する。
【００１８】
図３および図４を参照して、ローラ４すなわちこの実施形態の場合シェル１０を回転自在に支持する形態となるころ軸受１４は、回転中心軸Ｐを中心として同心に配置される支軸３とシェル１０との間の環状空間に針状ころのころ９が周方向で複数個配置される構成となっている。各ころ９は隣接するころ９にほぼ当接するほど近接されるよう設けられている。
【００１９】
シェル１０は、肉厚の比較的薄い鋼板材でなるものであって、内周面にころ９の軌道面を有する円筒部１０ａと、この円筒部１０ａの両端のそれぞれで内径側に延出された鍔部１０ｂ，１０ｃとで構成されている。
【００２０】
さらに、シェル１０の各鍔部１０ｂ，１０ｃの軸方向での内外両面には、それぞれ、側面視でほぼ円形を成す複数個の凹部１５…を形成している。各凹部１５は、鍔部１０ｂ，１０ｃの内周端縁の近傍に位置されて凹み形成されているとともに、周方向に適宜間隔を隔てて形成されている。各凹部１５…は凹み形成されているから、その凹み部分に潤滑剤としての潤滑油が滞留保持されるものとなっている。
【００２１】
この構成により、各鍔部１０ｂ，１０ｃにおいて、ころ９の端面と対向する面にある凹部１５…から保持されている潤滑油がころ９と各鍔部１０ｂ，１０ｃとの摺接箇所に十分供給されることになる。また、各鍔部１０ｂ，１０ｃにおいて、対向側壁部５，５の内側面と対向する面にある凹部１５…から保持されている潤滑油が対向側壁部５，５の内側面と各鍔部１０ｂ，１０ｃとの摺接箇所に十分供給されることになる。このように潤滑油がそれら摺接箇所に供給されることで互いの摺接面に油膜が生じて、焼き付きや、摩耗が防止され、ころ軸受としての耐久性が高められたものとなっている。
【００２２】
次に、シェル１０を円筒部材Ａから曲げ形成などにより作成する工程について説明する。
【００２３】
図５（ａ）に示すように、まず、鋼板からなる円筒部材Ａの軸方向一端側をあらかじめプレス成形により内径側に屈曲して、一方の鍔部１０ｂを所定径方向幅のものに形成する。その鍔部１０ｂの軸方向外側面を押圧する押しプレス型Ｐ１と、軸方向内側面を受ける受けプレス型Ｐ２とのそれぞれの表面には前記凹部１５を形成するための突起が備えられており、鍔部１０ｂを屈曲するプレス成形時に凹部１５が同時に鍔部１０ｂに形成されるようにしている。
【００２４】
次いで、円筒部材Ａの他端側の肉厚を全周にわたって所定の薄い肉厚となるように内周側をトリミングするため、図５（ｂ）に示すように、円筒部材の他端側の外周面を受けプレス型Ｐ３で外側に広がるのを受け止め規制した状態において、円筒部材の他端側の内径を押し広げる押しプレス型Ｐ４を円筒部材に所定深さまで圧入していく。この薄肉化するプレス加工の後、図示しないプレス加工を行うことにより、後に屈曲形成して鍔部１０ｃとなる円筒部材の他端側に凹部１５が形成される。
【００２５】
その後、シェル１０の内周側にころ９を並設させた状態にして、一端側治具Ｐ５で受け止めた円筒部材Ａの他端側を治具Ｐ６によって内径側にほぼ直角に屈曲することによって、鍔部１０ｃを屈曲形成することで、ころ９を備えたシェル１０の作成が完了する（図５（ｃ）参照）。
【００２６】
本発明のころ軸受は、図６に示されるように、シェル１０の鍔部１０ｂ，１０ｃの軸方向での内側側面部にのみ潤滑剤を保持するための凹部１５を設ける構成でもよい。
【００２７】
また、本発明のころ軸受は、図７に示されるように、シェル１０の鍔部１０ｂ，１０ｃの軸方向での外側側面部にのみ潤滑剤を保持するための凹部１５を設ける構成でもよい。
【００２８】
鍔部の側面のうち、特に軸方向外側の他部材との摺接による焼き付きや摩耗のおそれが鍔部の内側面のころ端面との摺接の場合よりも抑制される必要性が高いから、特に鍔部の軸方向外側面に凹部が形成されることが好ましい。
【００２９】
鍔部の凹部の形成は、シェルを形成するプレス加工とは別の工程のプレス加工により行われるようにしてもよい。
【００３０】
鍔部の凹部の形成は、各種の切削加工で行われるようにしてもよい。
【００３１】
本発明のころ軸受のころとしては針状ころでもよいとともに、針状ころでない、ころでもよい。また、本発明に係るころ軸受は、シェル形ころ軸受に限定されるものではなく、例えば円筒ころ軸受などでもよい。
【００３２】
鍔部の凹部は鍔部の内周端縁の近傍にのみ設けられるものに限定されないのであって、鍔部の側面の径方向幅内であればその凹部の形成位置は、どの位置に設けられているものでもよい。
【００３３】
本発明のころ軸受は、ころ軸受をロッカアームのローラの回転自在な支持に用いた場合、シェルとは別体のローラ部材をシェルに外嵌した構成としてもよい。
【００３４】
本発明のころ軸受は、シェルの円筒部の両端に設けた鍔部の一方のみに、潤滑剤を保持することのできる凹部が設けられていてもよい。
【００３５】
本発明のころ軸受は、シェル１０の鍔部１０ｂ，１０ｃの軸方向外側面または内側面に形成される潤滑剤保持用の凹部は、図８に示すように、細幅の直線状の溝１６が径方向に傾斜した状態で形成されるものでもよい。
【００３６】
本発明のころ軸受は、シェル１０の鍔部１０ｂ，１０ｃの軸方向外側面または内側面に形成される潤滑剤保持用の凹部は、図９に示すように、側面視で鍔部の径方向内端側箇所から外端側箇所にわたって扇状に形成された溝１７が周方向に複数箇所設けられる構成でもよい。この場合、前述の実施形態における鍔部の形成工程のうち、図５（ｂ）の工程のようにトリミングのためのプレス加工を行う際に、溝１７を内周面側に同時に形成することが可能である。
【００３７】
鍔部の側面のうち、特に軸方向外側の他部材との摺接による焼き付きや摩耗のおそれが鍔部の内側面のころ端面との摺接の場合よりも抑制される必要性が高いから、特に鍔部の軸方向外側面に凹部が形成されることが好ましい。
【００３８】
また、各種異なる形状の凹部が同じ鍔部の側面に形成されていてもよい。また、両側の鍔部に形成される凹部の形状が互いに異なるものでもよい。
【００３９】
本発明のころ軸受は、シェル１０の鍔部１０ｂ，１０ｃの軸方向外側面または内側面に形成される潤滑剤保持用の凹部は、図１０に示すように、側面視で鍔部の径方向幅内に複数の例えば円形の凹み１８を適宜分散されて設けられる構成でもよい。
【００４０】
【発明の効果】
本発明に係るころ軸受によれば、鍔部における軸方向内側または外側の側面に設けられた凹部に潤滑剤を保持させておくことができるので、このころ軸受が使用されているときに、シェルの鍔部の側面に他部材が摺接することや、シェルの鍔部の軸方向内側の側面にころの端面が摺接することがあっても、その他部材やころと鍔部との摺接は潤滑剤を介してなされる。このため、その摺接箇所で摩耗が生じたり、他部材やころと鍔部とが焼き付いたりすることが抑制される。
【図面の簡単な説明】
【図１】本発明のころ軸受を備えるロッカアーム等を示す一部破断側面図
【図２】図１のロッカアームの平面図
【図３】本発明のころ軸受の片半部を示す断面図
【図４】図３のころ軸受のシェルを示す一部破断斜視図
【図５】シェルを作成する工程を（ａ），（ｂ），（ｃ）の順にシェルの片半部について示す断面図
【図６】本発明のころ軸受の別実施形態のシェルを片半部示す断面図
【図７】本発明のころ軸受の別実施形態のシェルを片半部示す断面図
【図８】本発明のころ軸受の別実施形態のシェルを示す側面図
【図９】本発明のころ軸受の別実施形態のシェルを示す側面図
【図１０】本発明のころ軸受の別実施形態のシェルを示す一部破断斜視図
【図１１】従来のころ軸受の片半部を示す断面図
【符号の説明】
９　　　ころ
１０　　外輪（シェル）
１０ａ　円筒部
１０ｂ，１０ｃ　鍔部
１５　　凹部
【図１】
2004116585.tif 000003
【図２】
2004116585.tif 000004
【図３】
2004116585.tif 000005
【図４】
2004116585.tif 000006
【図５】
2004116585.tif 000007
【図６】
2004116585.tif 000008
【図７】
2004116585.tif 000009
【図８】
2004116585.tif 000010
【図９】
2004116585.tif 000011
【図１０】
2004116585.tif 000012
【図１１】
2004116585.tif 000013